(57)【要約】      （修正有）【課題】電源オフの状態であろうとなかろうと、スイッチ装置に無線制御情報を伝送して、照明の発光状態を調整することができる補助電源ユニットと無線受信機能を備えたスイッチ装置及びその照明システムを提供する。【解決手段】スイッチ装置１は、照明２３と接続され、電力オン・オフ部を備え、電力オン・オフ部が給電モードにある場合には、外部電力Ｌを照明に送電し、電力オン・オフ部が遮断モードにある場合には、照明への外部電力の出力を中断し、スイッチ装置内には補助電源ユニット１７が設けられ、補助電源ユニットはスイッチ装置内の各部材への電力供給を継続し、電力オン・オフ部が遮断モードにある場合でも、スイッチ装置内の無線モジュール１５が無線コントローラ２２の無線情報を受信し、且つ制御ユニット１３に伝送して、制御ユニットが電力オン・オフ部を給電モードに調整する。【選択図】図１
0003225038.tif 000002
【実用新案登録請求の範囲】
【請求項１】
補助電源ユニットと無線受信機能を備えたスイッチ装置であって、その出力端子は送電部材と電気的に接続することができ、それは、
外部電力を受電することができ、電力オン・オフ部が短絡状態である場合は給電モードを呈し、且つ前記外部電力を前記出力端子に送電することができ、前記電力オン・オフ部が開路状態である場合は遮断モードを呈し、前記出力端子に電力を供給しなくなる前記電力オン・オフ部と、
前記電力オン・オフ部及び入力ユニットと電気的に接続され、制御ユニットは前記入力ユニットから送られる入力情報を受信することができ、且つ前記入力情報に基づいて前記電力オン・オフ部を給電モード又は遮断モードに調整することができる前記制御ユニットと、
前記制御ユニットと電気的に接続され、且つ無線コントローラと接続することができ、前記無線コントローラから伝送される無線制御情報を受信することができ、無線モジュールが前記無線制御情報を前記制御ユニットに伝送することができ、前記制御ユニットが前記無線制御情報の内容に基づいて前記電力オン・オフ部を給電モード又は遮断モードに調整するようにさせることができる前記無線モジュールと、
前記無線モジュール、前記制御ユニット及び前記入力ユニットと直接電気的に接続され、前記外部電力を受電して前記無線モジュール、前記制御ユニット及び前記入力ユニットのそれぞれに電力を供給することができ、前記電力は、前記無線モジュール、前記制御ユニット及び前記入力ユニットが作動時に要する電力である、前記補助電源ユニットと、を含み、
前記電力オン・オフ部が遮断モードを呈する状況において、前記補助電源ユニットが前記無線モジュール、前記制御ユニット及び前記入力ユニットのみに電力供給を継続し、前記無線モジュールが受信した無線制御情報を前記制御ユニットに伝送できるようにさせて、前記制御ユニットが前記電力オン・オフ部を給電モードに調整できるようにさせることを特徴とする、スイッチ装置。
【請求項２】
前記出力端子はコンセントタイプである、請求項１に記載のスイッチ装置。
【請求項３】
前記電力オン・オフ部は継電器又はサイリスタである、請求項２に記載のスイッチ装置。
【請求項４】
補助電源ユニットと無線受信機能を備えた照明システムであって、それは、
発光ダイオード照明と、
前記発光ダイオード照明と電気的に接続され、前記発光ダイオード照明の発光状態を調整することができる照明駆動装置と、
スイッチ装置と、を含み、前記スイッチ装置の出力端子は照明駆動装置と電気的に接続することができ、且つ前記スイッチ装置は無線コントローラと無線接続することができ、それは、
外部電力を受電することができ、電力オン・オフ部が短絡状態である場合は給電モードを呈し、且つ前記外部電力を前記出力端子に送電して前記照明駆動装置及び前記発光ダイオード照明に受電させて、前記発光ダイオード照明を点灯状態にさせることができ、前記電力オン・オフ部が開路状態である場合は遮断モードを呈し、前記出力端子に電力を供給しなくなり、前記照明駆動装置及び前記発光ダイオード照明に受電させず、前記発光ダイオード照明を消灯状態にさせる前記電力オン・オフ部と、
前記電力オン・オフ部及び入力ユニットと電気的に接続され、制御ユニットは前記入力ユニットから送られる入力情報を受信することができ、且つ前記入力情報に基づいて前記電力オン・オフ部を給電モード又は遮断モードに調整することができる前記制御ユニットと、
前記制御ユニットと電気的に接続され、且つ前記無線コントローラと接続することができ、前記無線コントローラから伝送される無線制御情報を受信することができ、無線モジュールが前記無線制御情報を前記制御ユニットに伝送することができ、前記制御ユニットが前記無線制御情報の内容に基づいて前記電力オン・オフ部を給電モード又は遮断モードに調整するようにさせることができる前記無線モジュールと、
前記無線モジュール、前記制御ユニット及び前記入力ユニットと直接電気的に接続され、前記外部電力を受電して前記無線モジュール、前記制御ユニット及び前記入力ユニットのそれぞれに電力を供給することができ、前記電力は、前記無線モジュール、前記制御ユニット及び前記入力ユニットが作動時に要する電力である、前記補助電源ユニットと、を含み、
前記電力オン・オフ部が遮断モードを呈する状況において、前記補助電源ユニットが前記無線モジュール、前記制御ユニット及び前記入力ユニットのみに電力供給を継続し、前記無線モジュールが受信した無線制御情報を前記制御ユニットに伝送できるようにさせて、前記制御ユニットが前記電力オン・オフ部を給電モードに調整できるようにさせることで、前記発光ダイオード照明を点灯状態又は消灯状態に調整することを特徴とする、照明システム。
【請求項５】
前記入力ユニットはボタン態様を呈しており、且つ前記電力オン・オフ部が遮断モードを呈する状況において、前記制御ユニットが前記入力ユニットから送られる第１入力情報を受信すると、前記電力オン・オフ部が給電モードを呈するようにさせ、且つ前記入力ユニットから送られる第２入力情報を受信して、前記第２入力情報と前記第１入力情報の両者の時間間隔が第１期間よりも小さいと判断すると、調光コマンドを含む制御情報を生成し、且つ前記制御情報を前記照明駆動装置に伝送して、前記照明駆動装置が前記発光ダイオード照明の明るさを下げ続けるか又は上げ続けるようにさせる、請求項４に記載の照明システム。
【請求項６】
前記制御ユニットが前記入力ユニットから送られる第３入力情報を受信すると、調光中断コマンドを含む制御情報を生成し、且つ前記制御情報を前記照明駆動装置に伝送して、前記照明駆動装置が前記発光ダイオード照明を調整後の時点の明るさに維持することができる、請求項５に記載の照明システム。
【請求項７】
前記入力ユニットはボタン態様を呈しており、且つ前記電力オン・オフ部が給電モードを呈する状況において、前記制御ユニットが前記入力ユニットから送られる第１入力情報を受信すると、前記電力オン・オフ部が遮断モードを呈するようにさせ、且つ前記入力ユニットから送られる第２入力情報を受信すると、前記電力オン・オフ部が給電モードを呈するようにさせ、前記照明駆動装置は、受電停止から受電回復までの時間間隔が第１期間内であると判断した状態において、前記発光ダイオード照明の明るさを下げ続けるか又は上げ続ける、請求項４に記載の照明システム。
【請求項８】
前記照明駆動装置が前記発光ダイオード照明の明るさを下げ続けるか又は上げ続けている状態において、前記制御ユニットが前記入力ユニットから送られる第３入力情報を受信すると、前記電力オン・オフ部が遮断モードを呈するようにさせ、且つ前記入力ユニットから送られる第４入力情報を受信すると、前記電力オン・オフ部が給電モードを呈するようにさせ、前記照明駆動装置は、前記受電停止から受電回復までの時間間隔が第２期間内であると判断した状態において、前記発光ダイオード照明の明るさを前記電力オン・オフ部が遮断モードを呈する前の明るさに維持させる、請求項７に記載の照明システム。
【請求項９】
前記出力端子はコンセントタイプである、請求項６又は請求項８に記載の照明システム。
【請求項１０】
前記電力オン・オフ部は継電器又はサイリスタである、請求項９に記載の照明システム。
【考案の詳細な説明】
【技術分野】
【０００１】
本考案は、照明システムのスイッチ装置に関するものであり、特に、複数の部材が独立電源を有しており、スイッチ装置が消灯状態にあっても、ユーザーが照明のオン・オフを無線コントローラで制御することができるものである。
【背景技術】
【０００２】
近年、科学技術の進歩や無線技術の飛躍的な発展に伴い、ユーザーに無線方式の制御を提供可能な電子装置が増え続けており、室内に実体配線を敷設する手間を大幅に省ける点が人々から支持されている。
【０００３】
一般的に、従来の無線照明システムの多くは、発光照明（ＬＥＤなど）、照明駆動装置、照明スイッチ装置及び無線コントローラを含んでおり、そのうち、照明駆動装置は発光照明と電気的に接続され、発光照明を点灯状態又は消灯状態に制御し、照明スイッチ装置の多くは従来の機械式照明スイッチと同様、壁に固定して設置され、照明駆動装置と電気的に接続可能であり、且つ電力を照明駆動装置及び発光照明に送達するか否かを制御可能であり、これによりユーザーは照明スイッチ装置を操作して発光照明を点灯状態又は消灯状態に調整することができ、さらに無線コントローラの多くは無線制御情報を赤外線方式で照明スイッチ装置に伝送するので、ユーザーは発光照明のオン・オフを無線コントローラで調整できる効果を得ることができる。
【０００４】
しかしながら、本考案者は実際の使用において、従来の照明システムには改善点が未だ存在することに気づいた。最初に、従来の照明スイッチ装置は、通常、「通電の有無」で発光照明のオン・オフを制御しており、即ち点灯時には外部電力と接続し、消灯時には外部電力と切断するため、ユーザーが照明スイッチ装置によって消灯した場合には、照明スイッチ装置が外部電力からの電力供給を切断し、この時、照明スイッチ装置中の無線モジュールが電力を失うことで正常に作動できなくなる。上記の状態下では無線コントローラの機能が完全に失われ、ユーザーは無線コントローラで発光照明を点けられず、先に照明スイッチ装置の所まで行って点灯手順を行い、照明スイッチ装置の外部電力からの受電を回復させた後に、ようやくユーザーは照明を無線コントローラで制御できるようになり、使用における利便性が大幅に低下している。
【０００５】
また、出願人が発見した別の問題は、従来の一部電子機器（電動カーテンなど）のオン・オフは、通常は通電の有無に依存しており、業者が電子機器のスイッチ装置を設計する際は、通常は上述の従来の照明スイッチ装置のようなものが採用されている点である。即ち、ユーザーが照明スイッチ装置の電源を切ると無線コントローラの機能が失われることになり、さらに大部分の電子機器はそもそも無線コントローラを別に備えていないため、ユーザーが電子機器の近くの位置まで行かなければ電子機器をオン・オフすることができず、使用において不便が生じている。
【０００６】
要約すると、従来の無線制御機能を有する照明システムには、照明スイッチ装置を消灯にすると無線コントローラが役に立たなくなるという問題が普遍的に存在しており、ユーザーが「無線コントロール」のメリットを十分に享受できていないことが分かる。上述の欠点を改良し、新規なスイッチ装置を設計して、ユーザーにより良好な使用体験を提供することが本考案の解決すべき重要な課題であると同時に、スイッチ装置を電子機器と結合させて、元々「無線コントロール」を備えていない電子機器に「無線コントロール」機能を形成して具備せしめることも本考案の直面する課題となっている。
【考案の概要】
【考案が解決しようとする課題】
【０００７】
従来のスイッチ装置を消灯又は電源オフにすると、無線コントローラからの無線制御情報が転送できなくなり、使用において多くの不便が生じるという欠点に鑑み、考案者の長年に亘る実務経験を基に、多くの研究、調査及び試験を重ねた結果、ついに本考案の補助電源ユニットと無線受信機能を備えたスイッチ装置及びその照明システムの設計に至った。これにより、社会や人々により使用しやすいスイッチ装置を提供することができる。
【課題を解決するための手段】
【０００８】
本考案は、補助電源ユニットと無線受信機能を備えたスイッチ装置を提供することを目的としており、その出力端子は送電部材と電気的に接続することができ、スイッチ装置は電力オン・オフ部、制御ユニット、無線モジュール、補助電源ユニット及び入力ユニットを含み、そのうち、電力オン・オフ部は外部電力を受電することができ、それが給電モードにある場合には、出力端子に電力を供給することができ、それが遮断モードにある場合には、出力端子に電力が供給されず、制御ユニットは、電力オン・オフ部、無線モジュール及び入力ユニットとそれぞれ電気的に接続されて、入力ユニットから送られる入力情報に基づいて電力オン・オフ部を給電モード又は遮断モードに調整することができ、無線モジュールは、無線コントローラから送られる無線制御情報を受信することができ、且つ無線制御情報を制御ユニットへ伝送して、制御ユニットが無線制御情報の内容に基づいて電力オン・オフ部を給電モード又は遮断モードに調整できるようにする。本考案は、補助電源ユニットが制御ユニット、無線モジュール及び入力ユニットと電気的に接続され、且つ外部電力を受電することで、制御ユニット、無線モジュール及び入力ユニットが作動時に要する電力を継続して提供することができるので、電力オン・オフ部が遮断モードに切り替えられていようとなかろうと、制御ユニット、無線モジュール及び入力ユニットの作動が持続可能であり、ユーザーが後に無線コントローラを利用して、無線モジュール及び制御ユニットを介して電力オン・オフ部の状態を調整するのに便利であることを特徴としている。
【０００９】
本考案の別の目的は、補助電源ユニットと無線受信機能を備えた照明システムを提供することであり、それは、発光ダイオード照明、照明駆動装置、スイッチ装置及び無線コントローラを含み、そのうち、照明駆動装置は発光ダイオード照明と電気的に接続されて、発光ダイオード照明の発光状態を調整することができ、スイッチ装置の出力端子は照明駆動装置と電気的に接続することができ、且つスイッチ装置は無線コントローラとの無線接続が可能であり、また、スイッチ装置は上述の目的のスイッチ装置と同じ構造であり、これにより、ユーザーがスイッチ装置で消灯した後でも、無線コントローラによって点灯することが可能となり、使用における利便性が大幅に向上する。
【００１０】
審査官が本考案の目的、技術的特徴及びその効果をより認識し理解できるよう、以下では実施例を図面と合わせて詳細に説明する。
【図面の簡単な説明】
【００１１】
【図１】本考案の実施例のハードウェアブロック図である。
【図２】本考案の実施例の製品概念図である。
【図３】本考案における別の実施例のハードウェアブロック図である。
【図４】本考案における別の実施例の製品概念図である。
【考案を実施するための形態】
【００１２】
＜実施例＞
本考案は、補助電源ユニットと無線受信機能を備えたスイッチ装置及びその照明システムであって、図１及び図２を参照すると、一つの実施例では、スイッチ装置１を照明システムに利用することができ、またそれを壁に固定して設置することができ、且つ出力端子１０が設けられ、出力端子１０は送電部材（導線など）を介して照明駆動装置２１と電気的に接続することができ、同時に、スイッチ装置１は無線コントローラ２２（リモートコントローラ、スマートフォン、タブレットなど）とも無線接続することができ、ここで、照明駆動装置２１は発光ダイオード（以下、ＬＥＤと略称する）照明２３と電気的に接続され、ユーザーがスイッチ装置１を操作する（点灯、消灯など）ことで照明駆動装置２１がＬＥＤ照明２３の発光状態を調整することができ、或いはユーザーが無線コントローラ２２を操作して、無線コントローラ２２がスイッチ装置１による中継を経て照明駆動装置２１にＬＥＤ照明２３の発光状態を調整することができる。なお、本実施例では、スイッチ装置１及び無線コントローラ２２の両者間を「３１５／４３３ＭＨｚ／２．４ＧＨｚ無線送信技術」によって接続することができるが、本考案の他の実施例において、業者は製品のニーズに応じてＷｉＦｉ、Ｚｉｇｂｅｅ、Ｂｌｕｅｔｏｏｔｈ（登録商標）などの無線技術を採用することも可能であり、また本考案は、ＬＥＤ照明２３における使用に限定されず、蛍光灯、白熱電球及び他の電子機器などにも使用可能であることを理解されたい。
【００１３】
図１及び図２を再び参照すると、スイッチ装置１は電力オン・オフ部１１、制御ユニット１３、無線モジュール１５、補助電源ユニット１７及び入力ユニット１９（ボタンなど）を含み、そのうち、電力オン・オフ部１１は外部電力Ｌ（商用電源、バッテリーなど）を受電することができる。本実施例では、スイッチ装置１は独立した製品でよく、且つ一般的な住居における室内コンセントにそのまま差し込むことができ、それにより室内コンセントから送られる外部電力Ｌを受電する。また、電力オン・オフ部１１が短絡状態である場合は給電モードを呈し、この時、電力オン・オフ部１１は外部電力Ｌを出力端子１０に送電することができ、電力オン・オフ部１１が開路状態である場合は遮断モードを呈し、この時、電力オン・オフ部１１は出力端子１０への送電を中断する。
【００１４】
図１及び図２を再び参照すると、制御ユニット１３は電力オン・オフ部１１、無線モジュール１５及び入力ユニット１９とそれぞれ電気的に接続される。本実施例では、電力オン・オフ部１１が遮断モードにある状況において、ユーザーが入力ユニット１９を押すと、制御ユニット１３が電力オン・オフ部１１を給電モードに切り替えて、出力端子１０が照明駆動装置２１に電力（交流電流など）を出力できるようになり、照明駆動装置２１によりＬＥＤ照明２３を点灯状態にさせることができる。その後、ユーザーがもう一度入力ユニット１９を押すと、制御ユニット１３が電力オン・オフ部１１を再び遮断モードに切り替えて、出力端子１０から照明駆動装置２１への電力出力が中断され、照明駆動装置２１によりＬＥＤ照明２３を消灯状態にさせることができる。このように、ユーザーは点灯と消灯を入力ユニット１９の操作のみで簡単に行うことができる。
【００１５】
図１及び図２を再び参照すると、本実施例では、無線モジュール１５は無線コントローラ２２から送られる無線制御情報を受信し、且つ無線制御情報を制御ユニット１３へ伝送することができ、制御ユニット１３は無線制御情報の内容に基づき、電力オン・オフ部１１を給電モード又は遮断モードに調整して、ＬＥＤ照明２３の発光状態を変更することができる。例えば、ユーザーが無線コントローラ２２（無線コントローラ２２の点灯ボタン又は消灯ボタンを押すなど）を操作すると、無線コントローラ２２が対応する無線制御情報（点灯コマンド又は消灯コマンドを含む）を生成し、無線コントローラ２２がさらに無線制御情報を無線モジュール１５へ伝送し、無線モジュール１５が無線制御情報を制御ユニット１３へ伝送して電力オン・オフ部１１を制御することにより、ＬＥＤ照明２３の発光状態を調整することができる。
【００１６】
図１及び図２を再び参照すると、本考案は、スイッチ装置１に補助電源ユニット１７が増設されていることを特徴としており、ここで、補助電源ユニット１７は外部電力Ｌを受電可能であり、且つ制御ユニット１３、無線モジュール１５及び入力ユニット１９と電気的に接続され、制御ユニット１３、無線モジュール１５及び入力ユニット１９の作動に要する電力を供給することができる、これにより、ユーザーが入力ユニット１９を操作して消灯を行うと、電力オン・オフ部１１が遮断モードを呈し、この時、補助電源ユニット１７の設計によって制御ユニット１３及び無線モジュール１５への電力供給が継続され、制御ユニット１３と無線モジュール１５が正常作動を継続することができる。よって、ユーザーはその後も無線コントローラ２２を使用して無線制御情報を無線モジュール１５へ伝送し、無線モジュール１５が無線コントローラ２２から送られる無線制御情報を受信して制御ユニット１３に伝送し、これにより電力オン・オフ部１１が給電モードに戻されて、照明駆動装置２１及びＬＥＤ照明２３が電力を受電できるようになり、点灯を完了させることができる。
【００１７】
なお、上述の実施例では、スイッチ装置１は壁面式パネルスイッチの態様（図２に示す通り）を呈しており、且つ出力端子１０はコンセントの態様で照明機器の差し込みに供するが、図３及び図４のように、本考案の他の実施例において、業者は製品のニーズに応じてスイッチ装置１Ａを延長コード（又は電源タップと呼ばれる）製品の態様（図４に示す通り）に設計することも可能である。この場合、スイッチ装置１Ａの出力端子１０Ａは電子機器３３（電動カーテンなど）のプラグと電気的に接続することができるが、スイッチ装置１Ａにおける他の部材（電力オン・オフ部１１、制御ユニット１３、無線モジュール１５、補助電源ユニット１７及び入力ユニット１９など）の接続関係及び相互作用関係は上述の実施例と同じであるため、元の部材の符号をそのまま使用しており、ここでは説明を省略する。これにより、ユーザーが電子機器３３をスイッチ装置１Ａの出力端子１０Ａと電気的に接続するのみで、電子機器３３に本来無線コントロールの機能が備わっていなくても、ユーザーは無線コントローラ２２により電力オン・オフ部１１の状態をリモートで変更して電子機器３３のオン（電子機器３３に電力を供給する）又は電子機器３３のオフ（電子機器３３への電力供給を中断する）を行うことができ、無線コントロールと同様の機能が果たされる。
【００１８】
要約すると、図１を再び参照して、制御ユニット１３、無線モジュール１５及び入力ユニット１９が独立電源（即ち補助電源ユニット１７からの電力）を有するので、ユーザーが消灯した場合でも無線コントローラ２２の使用に影響を与えず、従来の照明スイッチ装置が遮断モード（又は消灯モード）にある場合には内部の各部材が電力を失い、無線コントローラが役に立たなくなるという問題が生じるのと比較して、本考案は明らかに高い利便性を備えている。また、実際の使用において、電力オン・オフ部１１は継電器（ｒｅｌａｙ）又はサイリスタ（Ｔｈｙｒｉｓｔｏｒ、又はシリコン制御整流子とも呼ばれる）であってもよく、制御ユニット１３が入力情報の内容に基づき、継電器又はサイリスタに電流を得させるか又は電流を失わせて、そのうちの複数のピン位置の相互接続位置を変化させることで給電モード又は遮断モードを形成することができるが、本考案の他の実施例において、業者は製品のニーズに応じて電力オン・オフ部１１の回路の態様を調整することもできる。
【００１９】
また、スイッチ装置１、照明駆動装置２１及びＬＥＤ照明２３が共に照明システムを形成する場合には、基本的な点灯及び消灯の機能だけでなく、ユーザーがニーズに応じてＬＥＤ照明２３の明るさを調整することも可能である。図１を再び参照すると、本実施例では、入力ユニット１９はボタン態様を呈しており、ユーザーがボタンを押す方法によって調光機能を果たすことができる。電力オン・オフ部１１が遮断モードを呈する状況において、ユーザーが入力ユニット１９を押すと、制御ユニット１３が入力ユニット１９から送られる第１入力情報を受信することができ、且つ電力オン・オフ部１１が給電モードを呈するようにさせることができ、その後、第１期間（１．２秒など）内にユーザーが入力ユニット１９をもう一度押すと、制御ユニット１３が再び入力ユニット１９から送られる第２入力情報を受信することができ、さらに制御ユニット１３は、近接した２つの入力情報の間隔が第１期間内であると判断した状態において、調光コマンドを含む制御情報を生成し、且つ制御情報を照明駆動装置２１に伝送し、照明駆動装置２１は、ユーザーが再び入力ユニット１９を押して、制御ユニット１３が入力ユニット１９から送られる第３入力情報を受信し、制御ユニット１３が調光中断コマンドを含む制御情報を生成し、且つ制御情報を照明駆動装置２１に伝送してＬＥＤ照明２３の明るさを調整後の時点の明るさに維持するように、ＬＥＤ照明２３の明るさを下げ（又は上げ）続ける。同じ原理で、ユーザーが無線コントローラ２２のボタンを押すと、制御ユニット１３が同様に第１無線制御情報、第２無線制御情報及び第３無線制御情報を順に受信することができ、また制御ユニット１３は同様に第１無線制御情報、第２無線制御情報の両者の時間間隔が第１期間と合致するか否かを判断して、調光コマンドを含む制御情報を生成し、且つ第３無線制御情報を受信すると、調光中断コマンドを含む制御情報を生成することができ、ユーザーは無線コントローラ２２によってＬＥＤ照明２３の明るさを調整することができる。
【００２０】
上述の実施例における照明システムでは、制御ユニット１３が２つの入力情報（又は無線制御情報）の時間間隔を基にＬＥＤ照明２３の明るさを調整するか否か決定するが、図１を再び参照すると、本考案の他の実施例における照明システムでは、ＬＥＤ照明２３の明るさを調整するか否かは、照明駆動装置２１によって決定することもできる。例えば、電力オン・オフ部１１が給電モードを呈する場合に、ユーザーが入力ユニット１９を押すと、制御ユニット１３が電力オン・オフ部１１を遮断モードにすることができ（ＬＥＤ照明２３は消灯状態）、その後、第１期間（１．２秒など）内にユーザーが入力ユニット１９をもう一度押すと、制御ユニット１３が再び電力オン・オフ部１１を給電モードにすることができる。上述の状況において、照明駆動装置２１は、受電停止（即ち、電力オン・オフ部１１が遮断モードを呈する）から受電回復（即ち、電力オン・オフ部１１が給電モードを呈する）までの時間間隔が第１期間内であると判断することができ、照明駆動装置２１がＬＥＤ照明２３の明るさを下げ（又は上げ）続け、ＬＥＤ照明２３の明るさがユーザーの目的の明るさと合致した時点でユーザーが再び入力ユニット１９を押すと、制御ユニット１３が再び電力オン・オフ部１１を遮断モードにすることができ（ＬＥＤ照明２３は消灯状態）、その後、第２期間（１．２秒など）内にユーザーが入力ユニット１９をもう一度押すと、制御ユニット１３が再び電力オン・オフ部１１を給電モードにして、同時に照明駆動装置２１がＬＥＤ照明２３を最後に調整された目的の明るさ（即ち、電力オン・オフ部１１が遮断モードを呈する前の明るさ）に維持させることができる。
【００２１】
上述は本考案の好ましい実施例に過ぎず、本考案が主張する実用新案登録請求の範囲を限定するものではなく、当業者であれば本考案が開示した技術内容に基づいて同等の効果が得られる変更を容易に想到し得るものであり、すべて本考案の保護範囲を逸脱しない。
【符号の説明】
【００２２】
１、１Ａ        スイッチ装置
１０、１０Ａ    出力端子
１１            電力オン・オフ部
１３            制御ユニット
１５            無線モジュール
１７            補助電源ユニット
１９            入力ユニット
２１            照明駆動装置
２２            無線コントローラ
２３            発光ダイオード照明
３３            電子機器
Ｌ              外部電力
【図１】
0003225038.tif 000003
【図２】
0003225038.tif 000004
【図３】
0003225038.tif 000005
【図４】
0003225038.tif 000006